(57)【要約】【課題】屋内用リピータが設置されたビル内で運用される兼用携帯端末が、外部基地局に誤接続することなくリピータを介して通信する移動通信リピータ装置、子局および通信制御方法を提供する。【解決手段】制御部３０は、ＰＡ３２の出力を携帯端末５との間の通信が途絶しない数１０ｍｓｅｃ内の短時間スイッチ３０１を接続端子ａに切り替え、その間にレベル測定部３０２がアンテナ３４から受信する基地局アンテナ６からの電波の受信レベルを測定する。そしてこの測定レベルが予め想定したレベルよりも大きいときには、誤接続を防ぐ様に携帯端末５が基地局アンテナ６からの電波よりも強いレベルでアンテナ３４から送信される電波を受信して子局３と接続出きる様にＰＡ３２の送信出力を増加させる制御を行う。【選択図】図２
2008294849.tif 000002
【特許請求の範囲】
【請求項１】
特定エリア内用の内線の携帯電話端末と公衆用の携帯電話端末との兼用携帯端末が、前記特定エリア内に設置される移動通信リピータ装置の子局に接続して前記内線の無線通信を行う移動通信リピータ装置において、
前記子局と前記兼用携帯端末との間の無線通信信号を中継伝送する親局と、
前記親局２を介して前記兼用携帯端末と前記内線通信との間の接続、通信管理を行うエリア内基地局手段と、
前記親局との間の無線通信信号の送受信を処理する送受信処理手段と、前記親局から入力される信号をアンテナから前記兼用携帯端末に送信する電波にして出力する送信パワーアンプと、前記送信される電波と同じ周波数の電波の受信レベルを測定して制御手段に通知する受信レベル測定手段と、一方の切換端子が前記送信パワーアンプの出力に接続され、他方の切換端子が前記第１の受信レベル測定手段の入力に接続され、いずれか一方を選択して前記アンテナへ接続する切換手段と、所定の切換タイミング、又は切換間隔で前記切換手段の接続先を前記送信パワーアンプの出力から前記受信レベル測定手段の入力に切換える制御により前記受信レベル測定手段が前記公衆用の基地局からの送信電波を前記アンテナから入力して測定して通知した受信レベルが所定のレベルよりも大きい場合、前記送信パワーアンプの出力を増大させる制御を行う制御手段とを備える子局
とを具備することを特徴とする移動通信リピータ装置。
【請求項２】
前記親局と前期子局との間で前記中継伝送される無線通信信号は、
光信号に変換されていることを特徴とする請求項１記載の移動通信リピータ装置。
【請求項３】
前記制御手段は、前記切換え手段の接続先を通常前記送信パワーアンプの出力に設定し、前記兼用携帯端末と前記子局との間の無線通信が途絶しない短時間の間のみ、前記受信レベル測定手段の入力へ切換える
ことを特徴とする請求項１記載の移動通信リピータ装置。
【請求項４】
前記切換えられている時間は長くても数１０ｍｓｅｃ以内であることを特徴とする請求項３記載の移動通信リピータ装置。
【請求項５】
特定エリア内用の内線の携帯電話端末と公衆用の携帯電話端末との兼用携帯端末が、電波を送受信する相手先となる前記内線の通信の接続、通信管理を行うエリア内基地局手段と通信するために親局と無線通信信号を中継伝送する移動通信リピータ装置の子局において、
前記親局との間の無線通信信号の送受信を処理する送受信処理手段と、
前記親局から入力される前記無線通信信号をアンテナから前記兼用携帯端末に送信する電波にして出力する送信パワーアンプと、
前記送信される電波と同じ周波数の電波の受信レベルを測定し制御手段に通知する受信レベル測定手段と、
一方の切換端子が前記送信パワーアンプの出力に接続され、他方の切換端子が前記受信レベル測定手段の入力に接続され、いずれか一方を選択して前記アンテナへ接続する切換手段と、
所定の切換タイミング、又は切換間隔で前記切換手段の接続先を前記送信パワーアンプの出力から前記受信レベル測定手段の入力に切換える制御により前記受信レベル測定手段が前記公衆用の基地局からの送信電波を前記アンテナから入力して測定した受信レベルが所定のレベルよりも大きい場合、前記送信パワーアンプの出力を増大させる制御を行う制御手段とを
具備することを特徴とする移動通信リピータ装置の子局。
【請求項６】
前記制御手段は、前記切換え手段の接続先を通常前記送信パワーアンプの出力端子側に設定し、前記兼用携帯端末と前記子局との間の無線通信が途絶しない短時間の間のみ、前記受信レベル測定手段の入力端子側へ切換える
ことを特徴とする請求項５記載の移動通信リピータ装置の子局。
【請求項７】
前記切換えられている時間は長くても数１０ｍｓｅｃ以内であることを特徴とする請求項３記載の移動通信リピータ装置の子局。
【請求項８】
特定エリア内用の内線の携帯電話端末と公衆用の携帯電話端末との兼用携帯端末が、電波を送受信する相手先となる前記内線の通信の接続、通信管理を行うエリア内基地局手段と通信するために親局と無線通信信号を中継伝送する子局において、
前記親局との間の無線通信信号の送受信を処理する送受信処理手段と、
前記親局から入力される前記無線通信信号をアンテナから前記兼用携帯端末に送信する電波にして出力する送信パワーアンプと、
前記アンテナに入力減衰手段を介して接続され前記送信される電波と同じ周波数の電波の受信レベルを測定して制御手段に通知する受信レベル測定手段と、
所定の切換タイミング、又は切換間隔で前記送信パワーアンプの出力を停止させ、その停止中に、前記入力減衰手段の減衰量を下げる制御により前記受信レベル測定手段が前記公衆用の基地局からの送信電波を入力して測定した受信レベルが所定のレベルよりも大きい場合、前記送信パワーアンプの出力を増大させる制御を行う制御手段とを
具備することを特徴とする移動通信リピータ装置の子局。
【請求項９】
特定エリア内用の内線の携帯電話端末と公衆用の携帯電話端末との兼用携帯端末が、電波を送受信する相手先となる前記内線の通信の接続、通信管理を行うエリア内基地局手段と通信するために親局と無線通信信号を中継伝送する子局において、
前記親局との間の無線通信信号の送受信を処理する送受信処理手段と、
前記親局から入力される前記無線通信信号をアンテナから前記兼用携帯端末に送信する電波にして出力する送信パワーアンプと、
前記特定エリア内に設置されたモニタアンテナに接続され、前記公衆用の基地局から送信される電波の受信レベルを測定して制御手段に通知する受信レベル測定手段と、
所定の切換タイミング、又は切換間隔で前記送信パワーアンプの出力を停止させ、その停止中に前記受信レベル測定手段が前記基地局からの送信電波を入力して測定した受信レベルが所定のレベルよりも大きい場合、前記送信パワーアンプの出力を増大させる制御を行う制御手段とを
具備することを特徴とする移動通信リピータ装置の子局。
【請求項１０】
特定エリア内用の内線の携帯電話端末と公衆用の携帯電話端末との兼用携帯端末が、電波を送受信する相手先となって前記内線の通信の接続、通信管理を行うエリア内基地局手段と通信するために、送信パワーアンプと受信レベル測定手段と切換え手段と制御手段とを備えて親局と無線通信信号を中継伝送する移動通信リピータ装置の子局の通信制御方法において、
前記送信パワーアンプは、
前記親局から入力される前記無線通信信号を前記切換え手段を介してアンテナから前記兼用携帯端末に送信する電波にして出力し、
前記制御手段は、所定の切換タイミング、又は切換間隔で前記切換手段の接続先を前記送信パワーアンプの出力から前記受信レベル測定手段の入力に切換え、
前記受信レベル測定手段は、前記公衆用の基地局からの送信電波を前記アンテナから入力して測定した受信レベルを前期制御手段へ通知し、
前記制御手段は、
前記通知された受信レベルが所定のレベルよりも大きい場合、前記送信パワーアンプの出力を増大させる制御を行う
ことを特徴とする移動通信リピータ装置の子局の通信制御方法。
【請求項１１】
前記制御手段は、
前記切換え手段の通常の接続先を前記送信パワーアンプの出力に設定し、前記兼用携帯端末と前記子局との間の無線通信が途絶しない短時間の間のみ、前記受信レベル測定手段の入力へ切換える
ことを特徴とする請求項１０記載の移動通信リピータ装置の子局の通信制御方法。
【請求項１２】
前記切換えられている時間は長くても数１０ｍｓｅｃ以内であることを特徴とする請求項１１記載の移動通信リピータ装置の子局の通信制御方法。
【発明の詳細な説明】
【技術分野】
【０００１】
本発明は、ビル内等に設置される移動通信リピータ装置、子局および通信制御方法に関する。
【背景技術】
【０００２】
高層マンション、オフィスビルなどの不感地対策として携帯電話基地局に接続された屋内対策レピータ装置としては、ＲＯＦ（Radio  Over  Fiber）システムを用いて各戸や各フロア、又はゾーンに携帯電話端末との間で無線通信を行う子局装置を１台ずつ設置して部屋のどの場所にいても携帯電話が通じるシステムがある。
【０００３】
企業の事業所のビル等の中で通信する内線電話端末と一般の公衆用との兼用携帯電話端末が使用される様な携帯電話のアプリケーションでは、ビル内では屋内対策側のレピータに必ず接続されて通信することが必要である。
【０００４】
しかしこの場合、窓際など、屋外基地局の電波強度が比較的強い所では、屋内にいるにも関わらずその兼用携帯電話端末が屋外基地局に誤接続されて通信する可能性がある問題があった。
【０００５】
特に屋外基地局からの電波強度は、周りの建物の環境に左右されることが多く、例えば、運用中のビルの近傍に新たに高層の建物が建つと反射の影響により基地局からの受信強度が今までより強くなり、リピータからの電波の受信強度以上になる場合も生じる問題がある。また、基地局の出力もカバーエリア内の兼用携帯電話端末との通話状況等により出力がコントロールされる。
【０００６】
この様な屋内対策のリピータと一般エリアとの間での誤接続防止を図るため、リピータや基地局から誤接続防止の制御信号を携帯電話端末に対して送信する発信規制情報を送信する方法（例えば、特許文献１）もあるが、リピータ、もしくは基地局動作が複雑化し、接続制御の負担が大きくなる。また、制御信号が正常受信出来無い場合には誤接続する場合も生じる。
【特許文献１】特開２００５−１０１９７６号公報  （第１３頁、第４図）
【発明の開示】
【発明が解決しようとする課題】
【０００７】
従来の屋内用の移動通信リピータ装置を用いる携帯電話の運用システムは、屋内で運用する兼用携帯電話端末に外部の基地局からリピータ装置から受信する以上のレベルの信号を受信すると外部基地局へ誤接続する問題が有った。
【０００８】
本発明は、上記問題を解決するためになされたもので、屋内用リピータが設置されたビル内で運用される兼用携帯電話端末が、外部基地局に誤接続することなくリピータを介して通信する移動通信リピータ装置、子局および通信制御方法を提供することを目的とする。
【課題を解決するための手段】
【０００９】
上記目的を達成するために、本発明の移動通信リピータ装置は、特定エリア内用の内線の携帯電話端末と公衆用の携帯電話端末との兼用携帯端末が、前記特定エリア内に設置される移動通信リピータ装置の子局に接続して前記内線の無線通信を行う移動通信リピータ装置において、前記子局と前記兼用携帯端末との間の無線通信信号を中継伝送する親局と、前記親局２を介して前記兼用携帯端末と前記内線通信との間の接続、通信管理を行うエリア内基地局手段と、前記親局との間の無線通信信号の送受信を処理する送受信処理手段と、前記親局から入力される信号をアンテナから前記兼用携帯端末に送信する電波にして出力する送信パワーアンプと、前記送信される電波と同じ周波数の電波の受信レベルを測定して制御手段に通知する受信レベル測定手段と、一方の切換端子が前記送信パワーアンプの出力に接続され、他方の切換端子が前記第１の受信レベル測定手段の入力に接続され、いずれか一方を選択して前記アンテナへ接続する切換手段と、所定の切換タイミング、又は切換間隔で前記切換手段の接続先を前記送信パワーアンプの出力から前記受信レベル測定手段の入力に切換える制御により前記受信レベル測定手段が前記公衆用の基地局からの送信電波を前記アンテナから入力して測定して通知した受信レベルが所定のレベルよりも大きい場合、前記送信パワーアンプの出力を増大させる制御を行う制御手段とを備える子局とを具備することを特徴とする。
【００１０】
また、本発明の移動通信リピータ装置の子局は、特定エリア内用の内線の携帯電話端末と公衆用の携帯電話端末との兼用携帯端末が、電波を送受信する相手先となる前記内線の通信の接続、通信管理を行うエリア内基地局手段と通信するために親局と無線通信信号を中継伝送する移動通信リピータ装置の子局において、前記親局との間の無線通信信号の送受信を処理する送受信処理手段と、前記親局から入力される前記無線通信信号をアンテナから前記兼用携帯端末に送信する電波にして出力する送信パワーアンプと、前記送信される電波と同じ周波数の電波の受信レベルを測定し制御手段に通知する受信レベル測定手段と、一方の切換端子が前記送信パワーアンプの出力に接続され、他方の切換端子が前記受信レベル測定手段の入力に接続され、いずれか一方を選択して前記アンテナへ接続する切換手段と、所定の切換タイミング、又は切換間隔で前記切換手段の接続先を前記送信パワーアンプの出力から前記受信レベル測定手段の入力に切換える制御により前記受信レベル測定手段が前記公衆用の基地局からの送信電波を前記アンテナから入力して測定した受信レベルが所定のレベルよりも大きい場合、前記送信パワーアンプの出力を増大させる制御を行う制御手段とを具備することを特徴とする。
【００１１】
さらに本発明の移動通信リピータ装置の子局の通信制御方法は、特定エリア内用の内線の携帯電話端末と公衆用の携帯電話端末との兼用携帯端末が、電波を送受信する相手先となって前記内線の通信の接続、通信管理を行うエリア内基地局手段と通信するために、送信パワーアンプと受信レベル測定手段と切換え手段と制御手段とを備えて親局と無線通信信号を中継伝送する移動通信リピータ装置の子局の通信制御方法において、前記送信パワーアンプは、前記親局から入力される前記無線通信信号を前記切換え手段を介してアンテナから前記兼用携帯端末に送信する電波にして出力し、前記制御手段は、所定の切換タイミング、又は切換間隔で前記切換手段の接続先を前記送信パワーアンプの出力から前記受信レベル測定手段の入力に切換え、前記受信レベル測定手段は、前記公衆用の基地局からの送信電波を前記アンテナから入力して測定した受信レベルを前期制御手段へ通知し、前記制御手段は、前記通知された受信レベルが所定のレベルよりも大きい場合、前記送信パワーアンプの出力を増大させる制御を行うことを特徴とする。
【発明の効果】
【００１２】
本発明によれば、屋内用リピータが設置されたビル内で運用される兼用携帯端末が、外部基地局に誤接続することなくリピータを介して通信する移動通信リピータ装置、子局および通信制御方法を提供することが出来る。
【発明を実施するための最良の形態】
【００１３】
以下、図面を参照して本発明の実施例を説明する。
【実施例】
【００１４】
図１は、本発明の実施例に係わる屋内用の移動通信リピータ装置を用いた通信の概念図である。  
図１において移動通信リピータ装置は、ビル内の内線用と公衆用との兼用携帯電話端末５（以下、携帯端末５と省略する。）との間の通信制御を行う特定エリア内基地局１、特定エリア内基地局１に接続され子局３との間で無線信号を変換した光信号の中継伝送を行う親局２、携帯端末５との間で無線通信する子局３ａ〜３ｎ（以下、子局３ａ〜３ｎについて共通事項を説明する場合は、子局３と省略する。）と、親局２と子局３との間を接続する光ケーブル４（同軸ケーブルでも良いが、ここでは光ケーブルを例に説明する。）とを備える。
【００１５】
子局３は、ビル内各フロアに分散して設置され、例えば、子局３ａ、３ｂは、１階に設置され携帯端末５との接続、通信等は親局２を介して信号が送受信される特定エリア内基地局１によって制御される。携帯端末５は、各フロア内を移動するが、屋内では近傍の、例えば、子局３ｂとの間で無線通信を行う。なお、親局２と特定エリア内基地局１とは、各々が独立した構成であっても、又は、一体化された中継基地局手段であっても良い。
【００１６】
しかし、ビルの窓際等では、当該ビルの外に基地局が設置されていると、基地局アンテナ６からの電波の受信強度が子局３ｂから受信するよりも強い場合が生じる。そして、携帯端末が、公衆向けの携帯電話機能を備えている場合、この基地局アンテナ６を介して無線通信するリンクが設定されてしまう、言い換えれば接続されてしまう。
【００１７】
本発明の実施例による移動通信リピータ装置は、以下の各子局３ａ〜３ｎでの送信レベルを制御する手段、方法によって、携帯端末５が外部の基地局アンテナ６からの受信電波よりも強い電波を子局３から受信出来るようにしている。
【００１８】
図２は、本発明の実施例に係わる移動通信リピータ装置の子局の動作、処理手順を説明する機能ブロック図である。  
図２において、子局３は、親局２と光ケーブル４を介して光信号を送受信するＥ／Ｏ３１２、Ｏ／Ｅ３１１、携帯端末５との間で無線通信する信号を処理し、親局２を介して屋内対策用基地局１との間で入出力する信号の周波数変換等、送受信制御、処理を行う送受信処理部３１、携帯端末５と電波の送受信を行うアンテナ３４、アンテナ３４により無線通信する電波を送信電波、送信電波に分離するデュプレクサ３３、デュプレクサ３３の受信端子ｒへ接続され携帯端末５からの受信電波を増幅して送受信処理部３１へ出力するＬＮＡ（低雑音増幅器）３６、共通端子がデュプレクサ３３の送信端子ｓに接続され、接続先をＰＡ（送信パワーアンプ）３２の出力（端子ｐ）かＬＮＡ３０３（端子ａ）の入力かの何れか１つを選択するスイッチ３０１、屋内の携帯端末５に電波を送信するＰＡ３２の送信周波数と同じ周波数ｆｓで送信される基地局アンテナ６からの受信電波を増幅するＬＮＡ３０３、ＬＮＡ３０３の出力レベルから基地局アンテナ６からの電波の受信レベルを測定し、そのデータを制御部３０へ出力するレベル測定部３０２、スイッチ３０１の接続先を切り換える制御信号を出力すると共に、レベル測定部３０２からの受信レベルデータから当該子局３の設置エリアで基地局アンテナ６からの電波の受信レベル以上の受信レベルとなるよう、ＰＡ３２を予め設定された出力に制御する制御部３０とを具備している。
【００１９】
制御部３０は、後述のごとく、レベル測定部３０２が測定したデータを内部メモリ３０Ｍに記憶する。
【００２０】
親局２、およびＥ／Ｏ３１２、Ｏ／Ｅ３１１とを介して送受信処理部３１に入出力される無線信号は、周波数ｆ１の下り信号がＰＡ３２からデュプレクサ３３とアンテナ３４を介して送信され、同様に周波数ｆ２の上り信号が受信される。アンテナ３４へは、ビルが建っているエリアをカバーしている屋外基地局のアンテナ６からの電波も到達し、その電波が周波数ｆ１で有る場合には、そのビル内の携帯端末５が屋外基地局と接続処理を行う可能性がある。
【００２１】
つまり従来の子局は、制御部３０、ＬＮＡ３０３、レベル測定部３０２、制御部３０、スイッチ３０１を有して居らず、子局に向けて送信パワーアンプから送信される電波の出力は、外部からの受信電波の受信強度を参照してフィードバック制御されることは無かった。そして、ビル内通信に十分な小出力で送信されていたため、携帯端末５が外部の基地局からの強い電波を受信すると誤接続する問題があった。
【００２２】
本発明の実施例の子局３は、通常、制御部３０がスイッチ３０１をデュプレクサ３３のｓ端子に接続することによりＰＡ３２からの出力がアンテナ３４から下り回線の電波としてビル内へ送信されている。一方、外部の基地局アンテナ６からの電波も同じようにビル内で受信されるが、両下り回線の周波数は同じである。従って、外部からの受信レベルを測定しようとしても子局３のＰＡ３２が送信する電波の出力を受信することになり、外部からの電波よりも遙かに強い強度になる。
【００２３】
図３は、本発明の実施例に係わる子局の送信出力の制御の処理手順を示すフローチャートである。以下、図２、図３を参照して子局の送信出力制御動作を説明する。  
携帯電話システムでは下り回線の電波は、送話時の音声信号が送話時にバースト状に送信されるが、携帯端末と基地局との間のアクセスコントロールを行う制御信号はほぼ連続的に送信されているため外部からの同じ周波数の電波は受信困難である。
【００２４】
しかしながら携帯電話システムでは、端末の移動で発生する瞬断があるため、基地局から送信される電波が、例えば、数１０ｍｓｅｃ途切れてもアクセスや通話に支障が発生しないようデータの再送やリカバリ処理が行われている。
【００２５】
制御部３０は、例えば、内部タイマ（図示せず。）を参照して数分間に１回の様なサイクルで送信を中断し（図３のステップｓ１）、スイッチ３０１の切換信号を出力して１０ｍｓｅｃの間受信のａ側に切り換える制御を行う（ステップｓ２）。ＬＮＡ３０３は、デュプレクサ３３の端子ｓからアンテナ３４を介して基地局アンテナ６からの電波を受信・増幅する。レベル測定部３０２は、ＬＮＡ３０３が受信した基地局アンテナ６からの電波の受信レベルを測定（ステップｓ３）して制御部３０に出力する。
【００２６】
制御部３０は、例えば、子局３ｂのアンテナ３４から送信される基準出力レベル、例えば、（−１０ｄｂｍ）の時の電波が子局３ｂの設置されているフロア（１階）における受信強度を予め測定したマッピングデータｍｄａ、又はシミュレーションデータｍｓａを内部のメモリ３０Ｍで保有している。そして、携帯端末５は、平均値として、基準出力より−ｂｄＢ下がった受信強度でアンテナ３４からの電波を受信するとしたーＢｄＢｍの子局受信想定値を記憶している。
【００２７】
そして更に、制御部３０は、外部の基地局アンテナ６から送信される電波のフロア（１階）における受信強度分布の測定データｍｓｄと、その測定時に子局３ｂのアンテナ３４とＬＮＡ３０３で受信する測定データｍｏａとの差の差分データｓｄ１から作成した校正データｃｄ１、例えば、差分データｓｄ１の平均レベル差−２０ｄｂを内部のメモリ３０Ｍで保有している。従って、任意のタイミングでのＬＮＡ３０３の受信データを測定データｍｏａから校正データｃｄ１の−２０ｄｂを差し引くことにより、同じタイミングでのそのフロアにおける基地局アンテナ６からの受信レベルが推測出来る。
【００２８】
この推測受信レベルが、―ｓｄＢｍであるとすると、そのフロアでは、―ｓｄＢｍが子局３ｂからの送信電波を受信する子局受信想定値の−ＢｄＢｍより低い場合（ステップｓ４がＹｅｓ）、端末５は、子局３ｂにアクセスして接続されることになる。
【００２９】
反対に高い（ステップｓ４がＮｏ）場合、制御部３０は、（測定データｍｏａ−校正データｃｄ１）＜子局受信想定値（―ＢｄＢｍ）＋補正値Ａとなるように、送信レベルを補正値Ａにより出力増加（ステップｓ５）する制御をＰＡ３２に行う。この出力増加は、ＰＡ３２が内蔵する図示されないアッテネータの減衰量を少なくする事によって行われるか、ＰＡ３２が飽和しない範囲で増幅利得を上げるなどの方法によって行われる。
【００３０】
携帯電話基地局の送信器やこの子局の様なＰＡは、特にＣＤＭＡ、ＯＦＤＭの変調を用いる場合、高いリニアリティが要求されるので、予め直線性の良い高出力なＰＡを用いて、低出力時に減衰器を用いる場合がある。しかし、駆動電源に対する効率が低くなるので子局の消費電力を低く抑え高効率な子局にする場合、例えば、ドハティ型のＰＡを用いれば、効率の良い子局が実現出来る効果がある。
【００３１】
測定データの精度や、校正値は、その適用エリアで異なるが、実際には各子局３の各カバーエリア内では自局からの送信する電波の受信強度が平均化するよう、配置が工夫される。
【００３２】
図４は、子局３から下り信号が間欠的、バースト的に送信される場合の子局の送信出力制御を行う子局の構成例を示す機能ブロック図である。  
図４における子局３では、図２の場合と異なり、ＬＮＡ３０３へ入力されるアンテナ３４、デュプレクサ３３からの受信電波は、スイッチ３０１ではなくアッテネータ（ＡＴＴ）３０４に置き換えられている。この場合、送信されていない期間は、制御部３０からＡＴＴ３０４に入力されるサプレス信号により減衰量が低く抑えられ、送信時には減衰量が大きく、スイッチオフ状態になる。屋外の基地局にアクセスする携帯電話端末の多少など、基地局アンテナ６からの出力の変動が大きい場合にはこの方法が有効である。
【００３３】
送信出力の補正方法は前例と同様なので説明は省略する。
【００３４】
図５は、基地局アンテナ６からの電波を受信するモニタアンテナ３７を設けて出力制御を行う子局３の構成例を示す機能ブロック図である。  
この方法では、モニタアンテナ３７は、子局３のアンテナ３４から離れて、例えば、窓際などフロアで外部からの電波の影響が大きい位置に設置される。この方法では、図２、図４の様な子局３が備えているアンテナ３４を共用して受信する電波強度から推定するのではなく、モニタアンテナ３２が独立して設けられるのでより精度が高い制御が可能になる。
【００３５】
基地局アンテナ６からの到来電波を受信するタイミングは、図４に示される場合と同様に通常は、ＡＴＴ３０４の減衰を大きくし、送信時に例えば、１０ｍｓｅｃ程度ＰＡ３２からの送信停止を行い、図４の場合と同様にその間は減衰を小さくするようにする。なお、図２と同様に、ＬＮＡ３０３への入力をスイッチでオン−オフするものであっても良い。また、子局３からバースト的に送信される場合には、図４の場合と同様にバースト送信のタイミング以外はＡＴＴ３０４の減衰を小さくして基地局アンテナ６からの到来電波を受信するものであっても良い。
【００３６】
この実施例による子局の送信出力の制御は、基地局アンテナ６、および子局３から送信する電波のアドレス情報を読みとらず、電波の受信強度だけで制御するので子局３を含めてリピータ装置の信号処理や装置規模に係わる通信制御を簡易に済ませることが可能である。
【図面の簡単な説明】
【００３７】
【図１】本発明の実施例に係わる屋内用の移動通信リピータ装置を用いた通信の概念図。
【図２】本発明の実施例に係わる移動通信リピータ装置の子局の動作、処理手順を説明する機能ブロック図。
【図３】本発明の実施例に係わる移動通信リピータ装置の子局の動作、処理手順を説明するフローチャート。
【図４】子局３から下り信号が間欠的、バースト的に送信される場合の子局の送信出力制御を行う子局の構成例を示す機能ブロック図。
【図５】基地局アンテナからの電波を受信するモニタアンテナを設けて出力制御を行う子局の構成例を示す機能ブロック図。
【符号の説明】
【００３８】
１  特定エリア内基地局
２  親局
３ａ〜３ｎ  子局
３０  制御部
３０１  スイッチ
３０２  レベル測定部
３０３  ＬＮＡ
３０４  ＡＴＴ
３１  送受信処理部
３２  ＰＡ（送信パワーアンプ）
３３  デュプレクサ
３４  アンテナ
３７  モニタアンテナ
５  携帯端末
６  基地局アンテナ
【図１】
2008294849.tif 000003
【図２】
2008294849.tif 000004
【図３】
2008294849.tif 000005
【図４】
2008294849.tif 000006
【図５】
2008294849.tif 000007